(57)【要約】【課題】映像音声出力装置にあって、使用者が自分の意図した映像入力端子、音声入力端子を選択することが容易になり、また音声が出ない状態などもメニューの深い階層などに入らなくても直感的に分かるよう技術を提供することにある。【解決手段】ユーザが映像入力の切り替えを実行すると、ＯＳＤ画面Ａ１が表示される。ＯＳＤ画面Ａ１において、略中央の領域Ａ２には、映像入力として上から順に第１〜第４映像入力端子に対応する「Computer1」「Computer2」「S-Video」「Video」が表示されている。さらに、右側の領域Ａ４には、選択されている映像入力の右横に、その映像入力が選択されているときの音声入力として設定されているものがアイコンＭ１として変更可能に表示されている。【選択図】図２
2011091632.tif 000002
【特許請求の範囲】
【請求項１】
映像ソースを選択する映像選択手段と、
音声ソースを選択する音声選択手段と、
前記映像ソースと前記音声ソースのそれぞれのリストを表示させるリスト表示手段とを備え、
前記リスト表示手段は、前記リストからユーザの指示により所望の映像ソースを選択可能に表示するとともに、前記選択可能に表示された前記映像ソースに関連づけて、前記音声ソースを選択可能に表示させる
ことを特徴とする映像音声出力装置。
【請求項２】
前記リスト表示手段は、前記音声ソースの入力端子の形状を含んだリストを表示させることを特徴とする請求項１に記載の映像音声出力装置。
【請求項３】
前記リスト表示手段は、前記映像ソースと前記音声ソースの各入力端子の配置を表示させ、前記配置における選択されたソースの端子の位置を表示させることを特徴とする請求項１または２に記載の映像音声出力装置。
【請求項４】
前記リスト表示手段は、前記音声ソースのリストを表示するときに、前記端子の接続状況及び音声信号の有無を判別可能に表示させることを特徴とする請求項１から３までのいずれかに記載の映像音声出力装置。
【請求項５】
前記リスト表示手段は、前記音声ソースのリストを表示するときに、前記選択された映像ソースについてのみ前記音声ソースのリストを表示させることを特徴とする請求項１から４までのいずれかに記載の映像音声出力装置。
【請求項６】
複数の映像ソースと複数の音声ソースからそれぞれ所望の映像ソース及び音声ソースを選択して出力する映像音声出力装置の入力選択表示方法であって、
ユーザから前記映像ソース又は前記音声ソースの切り替え指示を取得する切替指示取得工程と、
選択可能な前記映像ソースのリストを表示させる映像ソースリスト表示工程と、
前記複数の映像ソースのうちユーザが選択する映像ソースを他の映像ソースと区別可能に表示する選択映像ソース表示工程と、
前記選択された映像ソースに関連づけて出力するための音声ソースを前記選択された映像ソースと隣接させて選択可能に表示する音声ソースリスト表示工程と、
を備えること特徴とする入力選択表示方法。
【請求項７】
前記音声ソースリスト表示工程は、前記音声ソースの入力端子の形状を含んだリストを表示させることを特徴とする請求項６に記載の入力選択表示方法。
【請求項８】
前記映像ソースと前記音声ソースの各入力端子の配置を表示させ、前記配置における選択されたソースの端子の位置を表示させる端子配置表示工程を備えることを特徴とする請求項６または７に記載の入力選択表示方法。
【請求項９】
前記音声ソースリスト表示工程は、前記音声ソースのリストを表示するときに、前記端子の接続状況及び音声信号の有無を判別可能に表示させることを特徴とする請求項６から８までのいずれかに記載の入力選択表示方法。
【請求項１０】
前記音声ソースリスト表示工程は、前記音声ソースのリストを表示するときに、前記選択された映像ソースについてのみ前記音声ソースのリストを表示させることを特徴とする請求項６から９までのいずれかに記載の入力選択表示方法。
【発明の詳細な説明】
【技術分野】
【０００１】
本発明は、映像音声出力装置及び映像音声出力装置の入力選択表示方法に係り、例えば、プロジェクタやテレビ等の入力端子に接続される画像ソースや音声ソースの選択設定を支援する機能を備えた映像音声出力装置及び映像音声出力装置の入力選択表示方法に関する。
【背景技術】
【０００２】
近年、プロジェクタやテレビなどの映像音声出力装置には複数の映像入力端子が備えられている。それらの切り替えのために、様々な方法で分かり易く表示する技術が提案されている。
【０００３】
たとえば、複数の外部入力が設けられている場合にあって、各ユーザが所望する外部入力からの表示に容易に切り替えるために、ユーザが外部入力を選択したときに、過去の累積使用時間が長いものから順に切り替わるようにした技術がある（特許文献１参照）。
【先行技術文献】
【特許文献】
【０００４】
【特許文献１】特開２００８−３１１９１４号公報
【発明の概要】
【発明が解決しようとする課題】
【０００５】
ところで、一般に映像入力端子と対になる音声入力端子が備えられているが、これは入力毎に固定になっていることが多い。この場合は自分の所有している音声ケーブルが音声入力端子の形状と合致していなければ、変換機器が必要になってしまう。また音声ソース（音声入力）を切り替えることが出来るプロジェクタについてもメニュー内の項目で切り替え動作を行うため、一般ユーザには分かりにくく使いにくいという課題があった。また、音声ソースを切り替える機能が備え付けられていても、現在どの音声ソースが選択されているかどうかはメニューを開き、対応する項目まで移動しないと分からないという課題もあった。このような課題は、プロジェクタに限らず、例えば一般的なテレビやＡＶアンプなどの映像音声出力装置でも同様であった。
【０００６】
本発明の目的は、上記課題に鑑み、映像音声出力装置にあって、使用者が自分の意図した映像入力端子、音声入力端子を選択することが容易になる技術を提供することにある。
【課題を解決するための手段】
【０００７】
本発明に係る映像音声出力装置は、映像ソースを選択する映像選択手段と、音声ソースを選択する音声選択手段と、前記映像ソースと前記音声ソースのそれぞれのリストを表示させるリスト表示手段とを備え、前記リスト表示手段は、前記リストからユーザの指示により所望の映像ソースを選択可能に表示するとともに、前記選択可能に表示された前記映像ソースに関連づけて、前記音声ソースを選択可能に表示させる。
また、前記リスト表示手段は、前記音声ソースの入力端子の形状を含んだリストを表示させてもよい。
また、前記リスト表示手段は、前記映像ソースと前記音声ソースの各入力端子の配置を表示させ、前記配置における選択されたソースの端子の位置を表示させてもよい。
また、前記リスト表示手段は、前記音声ソースのリストを表示するときに、前記端子の接続状況及び音声信号の有無を判別可能に表示させてもよい。
また、前記リスト表示手段は、前記音声ソースのリストを表示するときに、前記選択された映像ソースについてのみ前記音声ソースのリストを表示させてもよい。
本発明に係る映像音声出力装置の入力選択表示方法は、複数の映像ソースと複数の音声ソースからそれぞれ所望の映像ソース及び音声ソースを選択して出力する映像音声出力装置の入力選択表示方法であって、ユーザから前記映像ソース又は前記音声ソースの切り替え指示を取得する切替指示取得工程と、選択可能な前記映像ソースのリストを表示させる映像ソースリスト表示工程と、前記複数の映像ソースのうちユーザが選択する映像ソースを他の映像ソースと区別可能に表示する選択映像ソース表示工程と、前記選択された映像ソースに関連づけて出力するための音声ソースを前記選択された映像ソースと隣接させて選択可能に表示する音声ソースリスト表示工程と、を備える。
また、前記音声ソースリスト表示工程は、前記音声ソースの入力端子の形状を含んだリストを表示させてもよい。
また、前記映像ソースと前記音声ソースの各入力端子の配置を表示させ、前記配置における選択されたソースの端子の位置を表示させる端子配置表示工程を備えてもよい。
また、前記音声ソースリスト表示工程は、前記音声ソースのリストを表示するときに、前記端子の接続状況及び音声信号の有無を判別可能に表示させてもよい。
また、前記音声ソースリスト表示工程は、前記音声ソースのリストを表示するときに、前記選択された映像ソースについてのみ前記音声ソースのリストを表示させてもよい。
【発明の効果】
【０００８】
本発明によれば、映像音声出力装置にあって、使用者は、自分の意図した映像入力端子、音声入力端子を選択することが容易になる。
【図面の簡単な説明】
【０００９】
【図１】本発明の実施形態に係る、プロジェクタの概略構成を示す機能ブロック図である。
【図２】本発明の実施形態に係る、ユーザが映像ソースの切り替えを実行したときに表示されるＯＳＤ（On Screen Display）画面を示した図である。
【図３】本発明の実施形態に係る、音声ソースの切替手順を説明するＯＳＤ画面を示した図である。
【図４】本発明の実施形態に係る、映像入力切替処理のためのＯＳＤ画面が表示されたときに、音声のミュートが係っている状態を示した図である。
【図５】本発明の実施形態に係る、映像ソースの切り替えを実行したときに、音声ソースの有無がわかるように表示したＯＳＤ画面を示した図である。
【図６】本発明の実施形態に係る、映像ソースの切り替えを実行したときに、全ての映像ソースに対応した音声ソースのアイコンが表示されているＯＳＤ画面を示した図である。
【図７】本発明の実施形態に係る、映像ソースの切り替えを実行したときに、映像ソースに対応した音声ソースのテキストが表示されているＯＳＤ画面を示した図である。
【図８】本発明の実施形態に係る、映像ソースの切り替えを実行したときに、映像ソースに対応した音声ソースのアイコンとテキストが同時に表示されているＯＳＤ画面を示した図である。
【図９】本発明の実施形態に係る、映像切替モードのＯＳＤ画面と音声切替モードのＯＳＤ画面とを示した図である。
【図１０】本発明の実施形態に係る、映像ソースと音声ソースの設定端子の選択の際に、実際の端子配置図を同時に示したＯＳＤ画面を示した図である。
【図１１】本発明の実施形態に係る、映像ソースと音声ソースの設定端子の選択の際に、リモコンのボタン配置図を同時に表示したＯＳＤ画面を示した図である。
【発明を実施するための形態】
【００１０】
次に、本発明を実施するための形態（以下、単に「実施形態」という）を、図面を参照して具体的に説明する。本実施形態では、外部入力機能を有する映像音声出力装置としてプロジェクタについて例示する。このプロジェクタでは、外部入力端子へのケーブル接続の確認を容易にするために以下のような技術を採用している。
（１）入力切替のリストに、映像入力端子と共に現在の音声入力端子を同時表示する。
（２）入力切替のリストに表示されている音声入力端子の選択をキー操作で切り替え可能としている。例えば、リモコン等の上下キーで映像ソース（映像入力）を切り替えて、左右キーで現在選択している映像ソースの音声ソース（音声入力）を切り替えることができる。
（３）音声が出力できない音声ミュート状態の設定をしている場合は、その情報を入力切替のリストに同時表示する。例えば、ミュート状態である旨をテキストやアイコン等で表示する。
（４）現在音声が入力されているかどうか判別できるようにＯＳＤの色等を変えて表示する。例えば、ケーブルが繋がっていなければ黒色、ケーブルは繋がっているが音声が入力されていなければ半透明、ケーブルが繋がっていて音声信号が入力されていれば完全な透明のように分かり易い色等で表現する。
（５）全ての映像入力端子に対応した音声入力端子を表示すると画面が複雑化するため、意識的に現在選択中の映像入力端子以外の映像入力端子に対応した音声入力端子の情報を表示しない。しかしながら、逆に全ての情報が見たいユーザのために、全ての映像ソースに対応した音声ソースを表示することも可能にする。例えば、メニューやＲＳ２３２Ｃコマンドで変更することができる。
（６）表示する音声入力端子はアイコン表示、テキスト表示どちらも可能とする。同時表示も可能にする。
（７）予め二つのモードを用意し、第１モードでは映像ソースの切り替えを行い、第２モードで音声ソースの切り替えを行う方法も採用可能である。二つのモードはキー操作で切替可能とする。
（８）ＨＤＭＩ等のデジタル端子についても、音声は同様に切り替えることが可能とする。
（９）映像入力端子や音声入力端子のレイアウトを表示させた状態で選択可能とする。
（１０）リモコンにおける映像入力端子や音声入力端子の選択ボタンのレイアウトを表示させて、リモコンの選択ボタンとの対応関係を明確に表示させたうえで選択可能とする。
【００１１】
図１は、本実施形態に係るプロジェクタ１０の概略構成を示す機能ブロック図である。図示のように、プロジェクタ１０は、主制御部２０と、表示手段３０と、スピーカ４０と、操作部５０と、入力切替部６０と、外部入力部７０とを備える。
【００１２】
操作部５０は、操作パネル５２及びリモコン受光部５４を備える。操作パネル５２は、本体キーとして、十字キーや選択キー、テンキー等を備え、ユーザの操作を取得する。リモコン受光部５４は、リモコン９０によるユーザの操作を取得する。リモコン９０には、リモコンキーとして、操作パネル５２と同様に、十字キーや選択キー、テンキー等を備えている。
【００１３】
主制御部２０は、各構成要素を統括的に制御すると共に、映像合成部２１と、映像処理部２２と、外部デバイス制御部２３と、ＯＳＤ表示部２４と、ユーザ入力処理部２５と、音声制御部２６とを備える。
【００１４】
映像合成部２１は、外部入力部７０からの映像信号またはＯＳＤ表示部２４からの映像信号を表示手段３０に出力する。また、映像合成部２１は、必要に応じて、ＯＳＤ表示部２４で生成されるＯＳＤ用映像と外部入力部７０からの入力映像とを合成し出力する。
【００１５】
映像処理部２２は、外部入力部７０からの映像信号を取得し、所定の処理を施し映像合成部２１に出力する。また、外部デバイス制御部２３は、入力切替部６０を制御して、映像信号及び音声信号のソース入力を制御する。具体的には、入力切替部６０の映像経路切替スイッチ６２及び音声経路切替スイッチ６４を制御して所望の映像ソース及び音声ソースを取得する。なお、入力切替部６０による切替処理及び設定は、操作パネル５２又はリモコン９０により所定の切替画面又は設定画面をＯＳＤ表示させて行う。この設定は図２以降で後述する。
【００１６】
ＯＳＤ表示部２４は、ユーザが行った操作に対応して、投影中の画面に表示すべきＯＳＤ用映像を生成し映像合成部２１に出力する。例えば、ＯＳＤ表示部２４は、入力切替画面や所定のメニュー画面を生成したり、現在選択されている入力ソースを表示するための画面を生成したりする。ユーザ入力処理部２５は、リモコン受光部５４を介したリモコン９０及び操作パネル５２より取得したユーザの指示を解析して、その指示に応じた処理を行う。
【００１７】
音声制御部２６は、外部入力部７０からの音声信号を取得し、所定の処理を施しスピーカ４０に出力する。具体的な処理例として、音声制御部２６は、音声のミュート処理やボリュームコントロール処理などを制御する。
【００１８】
表示手段３０は、液晶やＤＭＤ等の映像変調素子及び光学システムを備えて、映像合成部２１から取得した映像信号をスクリーン等に投影する。
【００１９】
外部入力部７０は、映像ソースの入力端子として第１〜第４映像入力端子７１〜７４と、音声ソースの入力端子として第１〜第４音声入力端子８１〜８４とを備える。第１映像入力端子７１はコンピュータからのデジタル映像ソースを想定したＤＶＩ端子であり、第２映像入力端子７２はコンピュータからのアナログ映像ソースを想定したＤ−ｓｕｂ端子である。第１映像入力端子７１の信号は「Computer1」として、第２映像入力端子７２の信号は「Computer2」として表示等の取り扱いがなされる。また、第３映像入力端子７３はＳ−Ｖｉｄｅｏ端子（Ｓ端子）、第４映像入力端子７４は、Ｖｉｄｅｏ端子（コンポジット映像信号用端子）である。
【００２０】
第１音声入力端子８１及び第２音声入力端子８２は、ミニ・フォン端子でありステレオ入力可能な２極となっている。また、第３音声入力端子８３及び第４音声入力端子８４は、それぞれ一対のＲＣＡ端子からなる。なお、図示はしないが、ＨＤＭＩケーブルのように、映像データと音声データが同一のケーブルで伝送される場合であっても、音声データを別のケーブルによって伝送されたものにすることができる。
【００２１】
入力切替部６０は、映像経路切替スイッチ６２と音声経路切替スイッチ６４とを備える。映像経路切替スイッチ６２は、映像ソースとして、第１〜第４映像入力端子７１〜７４のいずれかを選択し、選択した映像ソースを映像処理部２２に出力する。音声経路切替スイッチ６４は、音声ソースとして、第１〜第４音声入力端子８１〜８４のいずれかを選択し、選択した音声ソースを音声制御部２６に出力する。
【００２２】
以上の構成による映像ソース及び音声ソースの切替処理及び設定処理について説明する。まず、ユーザが映像ソースの切り替えを実行すると、図２に示すようなＯＳＤ画面Ａ１が表示される。ＯＳＤ画面Ａ１において、中央の領域Ａ２には、映像ソースとして上から順に第１〜第４映像入力端子７１〜７４に対応する「Computer1」「Computer2」「S-Video」「Video」が表示されている。さらに、テキスト表示の「Computer1」「Computer2」「S-Video」「Video」のそれぞれの左側の領域Ａ３には、入力ソースを想起させるアイコンが表示されている。
【００２３】
また、右側の領域Ａ４には、選択されている映像ソースと並んで、その映像ソースが選択されているときの音声ソース（図中「Audio」と表記）として設定されているものがアイコンＭ１として表示されている。具体的には、図２では、映像ソースとして第２映像入力端子７２に対応する「Computer2」が選択されており、その旨を示すために、他の入力と異なる色で表示されている。ここでは、白黒反転表示によって示しているが、例えば、色の濃さを変化させて選択されている項目が強調されてもよい。そして、「Computer2」の右側には、第１音声入力端子８１が選択されている旨を示すミニ・フォン端子の形状であるアイコンＭ１および数字「１」が表示されている。このように映像ソースと音声ソースの端子が表示されることで、ユーザが現在どの端子、つまりどの映像ソース及び音声ソースが選択された状態になっているかすぐ分かるようになっている。
【００２４】
映像ソースの切り替えは、操作パネル５２やリモコン９０の十字キーの上下キーを操作することによってなされる。また、音声ソースの切り替えは、操作パネル５２やリモコン９０の十字キーの左右キーを操作することによってなされる。
【００２５】
図３に音声ソースの切替手順を説明するＯＳＤ画面Ｂ１１〜Ｂ１３を示す。図３（ａ）のＯＳＤ画面Ｂ１１は、図２に示した映像ソースと音声ソースが選択されている状態を示している。図示のように、音声ソースのアイコンＭ１の両サイドには、左右キーの操作による音声ソースの切り替えが可能である旨を示す矢印Ｍ２が表示されている。例えば、図３（ａ）の状態で、ユーザがリモコン９０の十字キーの右キーを押下した場合、図３（ｂ）のＯＳＤ画面Ｂ１２に示すように、次の音声ソースである第２音声入力端子８２に切り替わり、その旨を示すミニ・フォン端子のアイコンＭ１と数字「２」が表示される。さらに、ユーザが右キーを押下すると、図３（ｃ）のＯＳＤ画面Ｂ１３に示すように、音声ソースは第３音声入力端子８３に切り替わり、その旨を示す一対のＲＣＡ端子のアイコンＭ１と数字「３」が表示される。そして、リモコン９０や操作パネル５２の「ENTERキー」の押下により選択を決定すると、選択された映像ソースと音声ソースに切り替わる。なお、音声ソースの切り替えが行われた場合には、「ENTERキー」の押下がなされる前であっても、音声制御部２６は、数秒程度だけ確認用音声として選択された音声ソースの音声信号を出力してもよい。
【００２６】
さらに、図４に、映像入力切替処理のためのＯＳＤ画面Ｃ１が表示されたときに、音声のミュートがかかっている場合について示している。図示のように、音声のミュートがかかっているときは、音声ソースの表示領域の上側部分Ｃ２にミュート状態を示す「Audio Mute」の表示を行う。なお、音声のミュートがかかっている場合であっても、音声ソースの切り替えは実行可能状態にしておく。また、ミュートの表示は、テキストだけでなく、アイコン等の画像で表示してもよい。
【００２７】
また、図５に音声ソースの有無がわかるように表示したＯＳＤ画面Ｄ１１〜Ｄ１３の例を示す。図示のように、現在音声が入力されているかどうか分かるように、アイコンＭ１が表示される領域部分のＯＳＤの色を変えて表示する。例えば、図５（ａ）のＯＳＤ画面Ｄ１１に示すように、ケーブルが繋がっていなければ黒色でアイコンＭ１が視認できない状態とする。また、ケーブルは繋がっているが音声が入力されていなければ、図５（ｂ）のＯＳＤ画面Ｄ１２に示すように、半透明でアイコンＭ１がある程度透過して視認できる状態とする。さらに、ケーブルが繋がっていて音声が入力されていれば、図５（ｃ）のＯＳＤ画面Ｄ１３に示すように、アイコンＭ１が１００％程視認できる状態で表現する。なお、どのような色または透過状態で表示するかは、ユーザが変更可能としてもよい。
【００２８】
なお、上述の図２〜図５では、全ての映像入力端子に対応した音声入力端子を表示すると画面が複雑化してしまうことから、意識的に現在選択中の映像入力端子以外の映像入力端子に対応した音声入力端子の情報を表示していない。しかし、逆に全ての情報が見たいユーザのために、図６のＯＳＤ画面Ｅ１に示すように、全ての映像ソースに対応した音声ソースのアイコンＭ１１〜Ｍ１４を表示することも可能にしてよい。全ての映像ソースに対応した音声ソースを表示するか否かは、メニュー画面やＲＳ２３２Ｃコマンド等で変更することができる。なお、この場合も、図４で示したように、ケーブルの接続状況に応じて、アイコンＭ１１〜Ｍ１４の表示方法が変更されてもよい。
【００２９】
また、図７のＯＳＤ画面Ｆ１１〜Ｆ１３に示すように、表示する音声入力端子はテキストＴ１の表示であってもよい。図７（ａ）〜（ｃ）は、上述の図３（ａ）〜（ｃ）の音声入力端子のアイコンＭ１の表示をテキストＴ１の表示にしたものである。さらに、図８（ａ）〜（ｃ）のＯＳＤ画面Ｇ１１〜Ｇ１３に示すように、アイコンＭ１の表示とテキストＴ１の表示を一緒にしてもよい。
【００３０】
さらに、二つのモードを用意し、モード１では映像ソースの切り替えを行い、モード２で音声ソースの切り替えを行う方法を採用してもよい。二つのモードはキー操作で切替可能とする。図９は、両モードにおけるＯＳＤ画面Ｈ１１，Ｈ１２の例を示している。図９（ａ）は、モード１のＯＳＤ画面Ｈ１１の例である。図示のように、モード１では映像ソースを上下キーで切り替える。そのとき音声入力端子は切り替えることができず、現在選択されている状態のみが表示される。そして、モード１の状態で左右キーの押下がなされると、図９（ｂ）のＯＳＤ画面Ｈ１２に示すように、音声ソースを切り替えるモードであるモード２に遷移する。また、モード１の状態で、リモコン９０や操作パネル５２の「ENTERキー」の押下がなされると、選択した入力が決定され、現在の設定に映像ソース及び音声ソースが切り替わる。
【００３１】
図９（ｂ）は、モード２の画面例である。モード２では音声ソースをリモコン９０や操作パネル５２の上下キーで切り替える。このとき映像入力端子は切り替えることができない。モード２の状態でリモコン９０等の左右キーが押下されることで、図９（ａ）に示すように、モード１に遷移する。そして、モード２の状態で「ENTERキー」が押下されると、選択した映像ソース及び音声ソースが決定され、現在の設定に映像ソース及び音声ソースが切り替わる。
【００３２】
図１０（ａ）及び（ｂ）は、映像ソースと音声ソースの選択の際に、実際の端子配置図を一緒に表示したＯＳＤ画面Ｉ１１，Ｉ１２である。ＯＳＤ画面Ｉ１１，Ｉ１２の上段領域Ｉ２には、図２〜９に示したように、映像ソースと音声ソースがテキストやアイコンで表示される。一方、ＯＳＤ画面Ｉ１１，Ｉ１２の下段領域Ｉ３には端子配置図が模式的に示される。さらに、上段領域Ｉ２において選択されている映像ソースと音声ソースがハイライト表示されるとともに、選択されていない映像ソースと音声ソースは、半透明状態となって表示されている。
【００３３】
例えば、図１０（ａ）において、上段領域Ｉ２では映像ソースとして「Computer2」の第２映像入力端子７２が選択され、音声ソースとして第１音声入力端子８１が選択されていることが分かる。そして、下段領域Ｉ３では、第２映像入力端子７２に対応する上段で左から２番目の領域と第１音声入力端子８１の配置位置に対応する下段で左から１番目の領域がハイライトされる。また、図１０（ｂ）において、上段領域Ｉ２では映像ソースとして「Computer2」の第２映像入力端子７２が選択され、音声ソースとして第４音声入力端子８４が選択されていることが分かる。そして、下段領域Ｉ３では、第２映像入力端子７２に対応する上段で左から２番目の領域と第４音声入力端子８４の配置位置に対応する下段で左から４番目の領域がハイライトされる。そして、映像ソースや音声ソースを切り替えると、図１０（ａ）の状態から図１０（ｂ）の状態へと、ハイライト部分が変わる。入力端子の配置図を示すことで、特に図示とは異なり、入力端子が整然と配置されていない場合に、選択したい入力ソースの把握が容易となる。
【００３４】
図１１は、映像ソースと音声ソースの設定端子の選択の際に、リモコン９０のボタン配置図を同時に示したＯＳＤ画面Ｊ１である。ＯＳＤ画面Ｊ１の右側領域Ｊ２にはリモコン９０の外観が模式的に示されている。そして、右側領域Ｊ２を除いた領域Ｊ３には、図２〜１０に示したように、映像ソースと音声ソースがテキスト又はアイコンで表示される。つまり、リモコン９０の選択ボタンとの対応関係を明確に表示させたうえで、映像ソースと音声ソースとの選択が可能となる。図示では、左側の領域Ｊ３では、映像ソースとして第２映像入力端子７２、音声ソースとして第１音声入力端子８１が選択されていることが示されている。そして右側領域Ｊ２のリモコン９０のボタン配置図では、第２映像入力端子７２及び第１音声入力端子８１を選択するためのボタンＪ４１，Ｊ４２がハイライト表示されている。さらに、音声入力端子のアイコンＭ１の両サイドの矢印Ｍ２１，Ｍ２２に対応する左右キーＪ５１，Ｊ５２も対応関係が一見して分かるように表示されている。このようにリモコン９０のボタン配置図を表示させることで、音声ソースを確認しながら設定する場合に、非常に効率を上げることができる。さらに、学習機能を備えたリモコン等にあっては、ボタンの割り付け変更を行うときに有効である。
【００３５】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、図２〜図１１で示した表示方法を適宜組み合わせてもよい。また、映像音声出力装置としてプロジェクタ１０を例示したが、それに限らず、映像ソースや音声ソースを外部入力として取得するテレビやＡＶアンプなどもある。
【符号の説明】
【００３６】
１０  プロジェクタ
２０  主制御部
２１  映像合成部
２２  映像処理部
２３  外部デバイス制御部
２４  ＯＳＤ表示部
２５  ユーザ入力処理部
２６  音声制御部
６０  入力切替部
６２  映像経路切替スイッチ
６４  音声経路切替スイッチ
７０  外部入力部
７１〜７４  第１〜第４映像入力端子
８１〜８４  第１〜第４音声入力端子
【図１】
2011091632.tif 000003
【図２】
2011091632.tif 000004
【図３】
2011091632.tif 000005
【図４】
2011091632.tif 000006
【図５】
2011091632.tif 000007
【図６】
2011091632.tif 000008
【図７】
2011091632.tif 000009
【図８】
2011091632.tif 000010
【図９】
2011091632.tif 000011
【図１０】
2011091632.tif 000012
【図１１】
2011091632.tif 000013